【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
タッチパネルディスプレイを有する情報処理装置であって、
前記タッチパネルディスプレイに指示体が触れたことを検出する第１の検出手段と、
指示体が前記タッチパネルディスプレイを触れたまま移動していることを検出する第２の検出手段と、
前記ディスプレイに触れていた指示体が離れたことを検出する第３の検出手段と、
前記第１の検出手段により、前記タッチパネルディスプレイ上に表示されている表示アイテムの領域内において指示体が触れたことを検知した後に、前記第２の検出手段により前記指示体が前記タッチパネルディスプレイを移動したまま移動していることを検知した場合、
前記指示体の移動距離が所定の閾値に達する前に前記第３の検出手段により前記指示体が離れたことを検出すると、前記表示アイテムに関連付けられた処理を実行するように制御し、
前記第３の検出手段により前記指示体が離れたことを検出する前に前記指示体の移動距離が所定の閾値に達すると、前記表示アイテムに関連づけられた処理を実行しないように制御する制御手段と、
を有する情報処理装置。
【請求項２】
前記制御手段は、前記第３の検出手段により前記指示体が離れたことを検出する前に前記指示体の移動距離が所定の閾値に達した場合、前記表示アイテムをスクロールさせる請求項１記載の情報処理装置。
【請求項３】
前記制御手段は、前記第３の検出手段により前記指示体が離れたことを検出する前に前記指示体の移動距離が所定の閾値に達した場合、表示中のページを他のページに切り替える請求項１記載の情報処理装置。
【請求項４】
前記第１の検出手段により前記表示アイテムの領域内において前記指示体が触れたことを検出するのに応じて、当該表示アイテムが選択されていることを識別可能に表示する表示制御手段を有し、
前記表示制御手段は、前記指示体の移動距離が前記所定の閾値に達するのに従って、前記表示アイテムの選択が解除されたことを識別可能に表示する請求項１から３のいずれか１項に記載の情報処理装置。
【請求項５】
前記制御手段は、前記表示アイテムがフリック操作を検出可能な領域内の表示アイテムである場合に、前記指示体の移動距離に応じた制御を行い、前記表示アイテムがフリック操作を検出可能な領域外の表示アイテムである場合には、前記指示体の移動距離に応じた制御を行わない請求項１から４のいずれか１項に記載の情報処理装置。
【請求項６】
前記制御手段は、前記表示アイテムがフリック操作を検出可能な領域外の表示アイテムである場合には、前記指示体の移動距離に拘わらず、前記第３の検出手段により前記指示体が離れたことを検出するのに従って、前記表示アイテムに関連付けられた処理を実行するように制御する請求項５記載の情報処理装置。
【請求項７】
前記第１の検出手段により前記表示アイテムの領域内において指示体が触れたことを検出した後、前記指示体が前記タッチパネルディスプレイを触れたまま前記表示アイテムの領域外に移動したことを検出する第４の検出手段を有し、
前記制御手段は、前記表示アイテムがフリック操作を検出可能な領域外の表示アイテムであれば、前記第４の検出手段による検出に応じて前記表示アイテムに関連付けられた処理を実行するように制御し、前記表示アイテムがフリック操作を検出可能な領域内の表示アイテムであれば、前記第４の検出手段による検出に応じて前記表示アイテムに関連付けられた処理を実行しないように制御する請求項１から６のいずれか１項に記載の情報処理装置。
【請求項８】
前記制御手段は、前記表示アイテムがフリック操作に応じてスクロールする表示アイテムである場合に、前記指示体の移動距離に応じた制御を行い、前記表示アイテムがフリック操作に応じてスクロールしない表示アイテムである場合には、前記指示体の移動距離に応じた制御を行わない請求項１から７のいずれか１項に記載の情報処理装置。
【請求項９】
前記制御手段は、前記表示アイテムがフリック操作に応じてスクロールしない表示アイテムである場合には、前記指示体の移動距離に拘わらず、前記第３の検出手段により前記指示体が離れたことを検出するのに従って、前記表示アイテムに関連付けられた処理を実行するように制御する請求項８記載の情報処理装置。
【請求項１０】
前記第１の検出手段により前記表示アイテムの領域内において指示体が触れたことを検出した後、前記指示体が前記タッチパネルディスプレイを触れたまま前記表示アイテムの領域外に移動したことを検出する第４の検出手段を有し、
前記制御手段は、前記表示アイテムがフリック操作に応じてスクロールしない表示アイテムであれば、前記第４の検出手段による検出に応じて前記表示アイテムに関連付けられた処理を実行するように制御し、前記表示アイテムがフリック操作に応じてスクロールする表示アイテムであれば、前記第４の検出手段による検出に応じて前記表示アイテムに関連付けられた処理を実行しないように制御する請求項１から６のいずれか１項に記載の情報処理装置。
【請求項１１】
前記表示アイテムは、タッチパネルディスプレイ上に表示されるソフトウェアボタンである請求項１から１０のいずれか１項に記載の情報処理装置。
【請求項１２】
原稿上の画像を読み取って画像データを生成し、生成した画像データに基づいて印刷するコピー機能、前記生成した画像データをネットワークを介して外部に送信する送信機能、前記生成した画像データをメモリに保存する保存機能、を有する請求項１から１１のいずれか１項に記載の情報処理装置。
【請求項１３】
タッチパネルディスプレイを有する情報処理装置の制御方法であって、
前記タッチパネルディスプレイに指示体が触れたことを検出する第１の検出工程と、
指示体が前記タッチパネルディスプレイを触れたまま移動していることを検出する第２の検出工程と、
前記ディスプレイに触れていた指示体が離れたことを検出する第３の検出工程と、
前記第１の検出工程において、前記タッチパネルディスプレイ上に表示されている表示アイテムの領域内において指示体が触れたことを検知した後に、前記第２の検出工程において前記指示体が前記タッチパネルディスプレイを移動したまま移動していることを検知した場合、
前記指示体の移動距離が所定の閾値に達する前に前記第３の検出手段により前記指示体が離れたことを検出すると、前記表示アイテムに関連付けられた処理を実行するように制御し、
前記第３の検出手段により前記指示体が離れたことを検出する前に前記指示体の移動距離が所定の閾値に達すると、前記表示アイテムに関連づけられた処理を実行しないように制御する制御工程と、
を有する制御方法。
【請求項１４】
請求項１３記載の制御方法をコンピュータに実行させるためのプログラム。
【手続補正２】
【補正対象書類名】明細書
【補正対象項目名】００１５
【補正方法】変更
【補正の内容】
【００１５】
上記課題を解決するため、本発明は、タッチパネルディスプレイを有する情報処理装置であって、前記タッチパネルディスプレイに指示体が触れたことを検出する第１の検出手段と、指示体が前記タッチパネルディスプレイを触れたまま移動していることを検出する第２の検出手段と、前記ディスプレイに触れていた指示体が離れたことを検出する第３の検出手段と、前記第１の検出手段により、前記タッチパネルディスプレイ上に表示されている表示アイテムの領域内において指示体が触れたことを検知した後に、前記第２の検出手段により前記指示体が前記タッチパネルディスプレイを移動したまま移動していることを検知した場合、前記指示体の移動距離が所定の閾値に達する前に前記第３の検出手段により前記指示体が離れたことを検出すると、前記表示アイテムに関連付けられた処理を実行するように制御し、前記第３の検出手段により前記指示体が離れたことを検出する前に前記指示体の移動距離が所定の閾値に達すると、前記表示アイテムに関連づけられた処理を実行しないように制御する制御手段と、を有することを特徴とする。